(57)【要約】      （修正有）【課題】水道水をろ過機構でろ過して有害物質を除去し、水素負イオン水を生成する水素負イオンインテリジェント浄水製造装置を提供する。【解決手段】抗菌性繊維フィルターより成る第１フィルター２０１、石灰質をろ過する第２フィルター２０２と第３フィルター２０３、正イオンを吸収し、負イオンを増加させる第４フィルター２０４、水素負イオンを生成して水に加える第５フィルター２０５、シュウ酸カルシウムを分解除去する第６フィルター２０６、水分子団の分子数を微細化するπ化磁気エネルギー共振器を備えた第７フィルター２０７、麦飯石を含む第８フィルター２０８、水を振動させて分子団を切断し、酸素を溶解させる遠赤外線π化フィルターより成る第９フィルター２０９、ＫＤＦ活性炭フィルターより成る第１０フィルター２１０、ナノ銀活性炭フィルターより成る第１１フィルター２１１、長鎖水分子を短鎖水分子に組み変える小分子微細化共振器を備えた第１２フィルター２１２を直列に接続した。【選択図】図２
0003205759.tif 000002
【実用新案登録請求の範囲】
【請求項１】
悪性腫瘍、心血管疾病、糖尿病、高血圧、ネフローゼ症候群、痛風、自律神経失調症、アトピー性皮膚炎を改善する水素負イオンインテリジェント浄水製造装置であって、
ハウジングと、
前記ハウジング内に設置され、第１フィルター、前記第１フィルターと連通された第２フィルター、前記第２フィルターと連通された第３フィルター、前記第３フィルターと連通された第４フィルター、前記第４フィルターと連通された第５フィルター、前記第５フィルターと連通された第６フィルター、前記第６フィルターと連通された第７フィルター、前記第７フィルターと連通された第８フィルター、前記第８フィルターと連通された第９フィルター、前記第９フィルターと連通された第１０フィルター、前記第１０フィルターと連通された第１１フィルター、前記第１１フィルターと連通された第１２フィルターを含むろ過機構と、
前記第１フィルターと連通され、かつ前記ハウジングから外に延伸された流入ポートと、
前記第１２フィルターと連通され、かつ前記ハウジングから外に延伸された流出ポートと、
前記ハウジング内に設置され、かつ前記第１フィルターと前記流入ポートの間に連通して設置されたフロー制御機構と、を含み、
前記第１フィルターは、水中の泥、砂利、藻類、微生物、異物をろ過して除去する抗菌性繊維フィルターより成り、前記第２フィルター及び第３フィルターは、水中の石灰質をろ過して除去する軟水化フィルターより成り、前記第４フィルターは、水中のカルシウム、カリウム、マグネシウム、ナトリウム等の正イオンを吸収すると共に、負イオンを増加させてアルカリ性とする負イオン微量元素フィルターより成り、前記第５フィルターは、Ｈ￣水素負イオンを生成して水に加え、負水素電位アルカリ水を生成するナノ親水触媒材料のＨ−負水素電位生成器を備え、前記第６フィルターは、水溶性塩化カルシウムを生成してシュウ酸カルシウムを分解除去するセラミックスより成り、前記第７フィルターは、水分子団の分子数を微細化するπ化磁気エネルギー共振器を備え、前記第８フィルターは、微細な麦飯石を含む麦飯石ミネラルフィルターより成り、前記第９フィルターは、水を振動させて、分子団を切断し、酸素を溶解させる遠赤外線π化フィルターより成り、前記第１０フィルターは、活性炭の微小顆粒を含むＫＤＦ活性炭フィルターより成り、前記第１１フィルターは、水中の浮遊粒子、細胞嚢、ウイルス、化学物質をろ過して除去するナノ銀活性炭フィルターより成り、前記第１２フィルターは、長鎖の水分子を短鎖の水分子に組み変える小分子微細化共振器を備えることを特徴とする、水素負イオンインテリジェント浄水製造装置。
【請求項２】
前記ハウジングが、座体、前記座体に開閉可能に結合されたカバー、前記座体内に設置された第１パーティション、前記座体内に設置され、かつ前記第１パーティションに対応する第２パーティション、および前記座体と、前記第１パーティション及び前記第２パーティションの一面上に設置された、フィルター支持用の複数のクランプを含むことを特徴とする、請求項１に記載の悪性腫瘍、心血管疾病、糖尿病、高血圧、ネフローゼ症候群、痛風、自律神経失調症、アトピー性皮膚炎を改善する水素負イオンインテリジェント浄水製造装置。
【請求項３】
前記第１フィルター、前記第２フィルター、前記第３フィルター、前記第４フィルターが前記座体の前記クランプ上にそれぞれ着脱可能に設置され、前記第５フィルター、前記第６フィルター、前記第７フィルター、前記第８フィルターが前記第１パーティションの前記クランプ上にそれぞれ着脱可能に設置され、前記第９フィルター、前記第１０フィルター、前記第１１フィルター、前記第１２フィルターが前記第２パーティションの前記クランプ上にそれぞれ着脱可能に設置されたことを特徴とする、請求項２に記載の悪性腫瘍、心血管疾病、糖尿病、高血圧、ネフローゼ症候群、痛風、自律神経失調症、アトピー性皮膚炎を改善する水素負イオンインテリジェント浄水製造装置。
【考案の詳細な説明】
【技術分野】
【０００１】
本考案は、水道水をろ過機構でろ過すると共に水素負イオン水を生成し、使用者が飲用後、抗酸化、水和作用と毒素排出、酸性のアルカリ性化、栄養分吸収促進、免疫力のバランス、生命エネルギーの製造、蓄積した脂肪の燃焼、新陳代謝の強化、酸性体質のフリーラジカルにより引き起こされる病気の排除と常態的保護によるアンチエイジングおよび疾病予防の効果を達することができる、悪性腫瘍、心血管疾病、糖尿病、高血圧、ネフローゼ症候群、痛風、自律神経失調症、アトピー性皮膚炎を改善する水素負イオンインテリジェント浄水製造装置に関する。
【背景技術】
【０００２】
一般家庭の水道水中には、通常、細かい砂や細菌、藻類、重金属等の異物が含まれており、ろ過等の適切なプロセスで処理されていない場合、長期的に飲用すると人体の健康によくない影響を与える。
【０００３】
しかしながら、近年、飲用水の安全問題と飲用水の品質が重視されるようになり、さらに水を飲むことで健康を維持する効果を達したいと希望するようになっているため、一般家庭でも水のろ過設備を購入して使用している。
一般家庭用の水ろ過設備は、フィルター付き容器や、蛇口等に直接取り付ける簡易式フィルター装置が一般的であるが、これらのフィルター付き容器や簡易式フィルター装置は、取り付けと交換が簡単であるという利点があるものの、水中の細かい砂や藻類等の比較的一般的な異物をろ過できるのみであり、ろ過後の水の本質には依然として大きな変化はなく、また、水道水を健康維持効果のある水素負イオン水に転換させることはできないため、一般的なフィルター付き容器や簡易式フィルター装置は機能が充分であるとは言えない。
【考案の概要】
【考案が解決しようとする課題】
【０００４】
本考案が解決しようとする課題は、上述の問題を解決し、水道水をろ過機構でろ過すると共に、水素負イオン水を生成し、使用者が飲用することにより、抗酸化、水和作用と毒素排出、酸性のアルカリ性化、栄養分吸収促進、免疫力のバランス、生命エネルギーの製造、蓄積した脂肪の燃焼、新陳代謝の強化、酸性体質のフリーラジカルにより引き起こされる病気の排除と常態的保護によるアンチエイジングおよび疾病予防の効果を達することができる、悪性腫瘍、心血管疾病、糖尿病、高血圧、ネフローゼ症候群、痛風、自律神経失調症、アトピー性皮膚炎を改善する水素負イオンインテリジェント浄水製造装置を提供することにある。
【課題を解決するための手段】
【０００５】
本考案は、悪性腫瘍、心血管疾病、糖尿病、高血圧、ネフローゼ症候群、痛風、自律神経失調症、アトピー性皮膚炎を改善する水素負イオンインテリジェント浄水製造装置に関し、ハウジングと、前記ハウジング内に設置され、第１フィルター、前記第１フィルターと連通された第２フィルター、前記第２フィルターと連通された第３フィルター、前記第３フィルターと連通された第４フィルター、前記第４フィルターと連通された第５フィルター、前記第５フィルターと連通された第６フィルター、前記第６フィルターと連通された第７フィルター、前記第７フィルターと連通された第８フィルター、前記第８フィルターと連通された第９フィルター、前記第９フィルターと連通された第１０フィルター、前記第１０フィルターと連通された第１１フィルター、前記第１１フィルターと連通された第１２フィルターを含むろ過機構と、前記第１フィルターと連通され、かつ前記ハウジングから外に延伸された流入ポートと、前記第１２フィルターと連通され、かつ前記ハウジングから外に延伸された流出ポートと、前記ハウジング内に設置され、かつ前記第１フィルターと前記流入ポートの間に連通して設置されたフロー制御機構とを含み、前記第１フィルターは、水中の泥、砂利、藻類、微生物、異物をろ過して除去する抗菌性繊維フィルターより成り、前記第２フィルター及び第３フィルターは、水中の石灰質をろ過して除去する軟水化フィルターより成り、前記第４フィルターは、水中のカルシウム、カリウム、マグネシウム、ナトリウム等の正イオンを吸収すると共に、負イオンを増加させてアルカリ性とする負イオン微量元素フィルターより成り、前記第５フィルターは、Ｈ￣水素負イオンを生成して水に加え、負水素電位アルカリ水を生成するナノ親水触媒材料のＨ−負水素電位生成器を備え、前記第６フィルターは、水溶性塩化カルシウムを生成してシュウ酸カルシウムを分解除去するセラミックスより成り、前記第７フィルターは、水分子団の分子数を微細化するπ化磁気エネルギー共振器を備え、前記第８フィルターは、微細な麦飯石を含む麦飯石ミネラルフィルターより成り、前記第９フィルターは、水を振動させて、分子団を切断し、酸素を溶解させる遠赤外線π化フィルターより成り、前記第１０フィルターは、活性炭の微小顆粒を含むＫＤＦ活性炭フィルターより成り、前記第１１フィルターは、水中の浮遊粒子、細胞嚢、ウイルス、化学物質をろ過して除去するナノ銀活性炭フィルターより成り、前記第１２フィルターは、長鎖の水分子を短鎖の水分子に組み変える小分子微細化共振器を備える。
【０００６】
前記ハウジングが、座体、前記座体に開閉可能に結合されたカバー、前記座体内に設置された第１パーティション、前記座体内に設置され、かつ前記第１パーティションに対応する第２パーティション、および前記座体と、前記第１パーティション及び前記第２パーティションの一面上に設置された、フィルター支持用の複数のクランプを含むことがある。
この場合、前記第１フィルター、前記第２フィルター、前記第３フィルター、前記第４フィルターが前記座体の前記クランプ上にそれぞれ着脱可能に設置され、前記第５フィルター、前記第６フィルター、前記第７フィルター、前記第８フィルターが前記第１パーティションの前記クランプ上にそれぞれ着脱可能に設置され、前記第９フィルター、前記第１０フィルター、前記第１１フィルター、前記第１２フィルターが前記第２パーティションの前記クランプ上にそれぞれ着脱可能に設置されてもよい。
【考案の効果】
【０００７】
本考案によれば、１２のフィルターによるろ過処理を経て、水素負イオン水が生成され、使用者が生成された水素負イオン水を飲用すると、抗酸化、水和作用と毒素排出、酸性のアルカリ性化、栄養分吸収促進、免疫力のバランス、生命エネルギーの製造、蓄積した脂肪の燃焼、新陳代謝の強化、酸性体質のフリーラジカルにより引き起こされる病気の排除と常態的保護によるアンチエイジングおよび疾病予防の効果を達することができ、悪性腫瘍、心血管疾病、糖尿病、高血圧、ネフローゼ症候群、痛風、自律神経失調症、アトピー性皮膚炎等の病症を改善することができる。
【図面の簡単な説明】
【０００８】
【図１】本考案の実施例を示す水素負イオンインテリジェント浄水製造装置の斜視図である。
【図２】本考案の実施例を示す水素負イオンインテリジェント浄水製造装置の分解斜視図である。
【考案を実施するための形態】
【０００９】
以下、本考案の実施例を図面に基づいて詳細に説明する。
図１は、本考案の水素負イオンインテリジェント浄水製造装置の斜視図、図２は、本考案の水素負イオンインテリジェント浄水製造装置の分解斜視図である。
図に示すように、悪性腫瘍、心血管疾病、糖尿病、高血圧、ネフローゼ症候群、痛風、自律神経失調症、アトピー性皮膚炎を改善する水素負イオンインテリジェント浄水製造装置は、少なくとも、ハウジング１０、ろ過機構２０、流入ポート３０、流出ポート４０、フロー制御機構５０から構成される。
【００１０】
ハウジング１０は、座体１０１、座体１０１と開閉可能に結合されたカバー１０２、座体１０１内に設置された第１パーティション１０３、座体１０１内に設置され、かつ第１パーティション１０３に対応する第２パーティション１０４、および座体１０１の奥面と、第１パーティション１０３、第２パーティション１０４の一面上に設置されたフィルター支持用の複数のクランプ１０５を含む。
【００１１】
ろ過機構２０は、ハウジング１０内に設置され、第１フィルター２０１、第１フィルター２０１と連通された第２フィルター２０２、第２フィルター２０２と連通された第３フィルター２０３、第３フィルター２０３と連通された第４フィルター２０４、第４フィルター２０４と連通された第５フィルター２０５、第５フィルター２０５と連通された第６フィルター２０６、第６フィルター２０６と連通された第７フィルター２０７、第７フィルター２０７と連通された第８フィルター２０８、第８フィルター２０８と連通された第９フィルター２０９、第９フィルター２０９と連通された第１０フィルター２１０、第１０フィルター２１０と連通された第１１フィルター２１１、第１１フィルター２１１と連通された第１２フィルター２１２を含む。
【００１２】
第１フィルター２０１、第２フィルター２０２、第３フィルター２０３、第４フィルター２０４は、座体１０１のクランプ１０５上にそれぞれ着脱可能に設置され、第５フィルター２０５、第６フィルター２０６、第７フィルター２０７、第８フィルター２０８は、第１パーティション１０３のクランプ１０５上にそれぞれ着脱可能に設置され、第９フィルター２０９、第１０フィルター２１０、第１１フィルター２１１、第１２フィルター２１２は、第２パーティション１０４のクランプ１０５上にそれぞれ着脱可能に設置される。
【００１３】
流入ポート３０は第１フィルター２０１と連通され、かつハウジング１０から外に延伸される。
流出ポート４０は第１２フィルター２１２と連通され、かつハウジング１０から外に延伸される。
フロー制御機構５０はハウジング１０内に設置され、かつ第１フィルター２０１と流入ポート３０の間に連通して設置される。
【００１４】
この水素負イオンインテリジェント浄水製造装置を使用する時は、水道水が流入ポート３０から第１フィルター２０１に進入し、第２フィルター２０２、第３フィルター２０３、第４フィルター２０４、第５フィルター２０５、第６フィルター２０６、第７フィルター２０７、第８フィルター２０８、第９フィルター２０９、第１０フィルター２１０、第１１フィルター２１１、第１２フィルター２１２のろ過処理を経た後、流出ポート４０から水素負イオン水となって流出される。
【００１５】
第１フィルター２０１は高密度の抗菌性繊維フィルターであり、水中の泥、砂利、藻類、微生物、異物を初歩的にろ過して除去する。
【００１６】
第２フィルター２０２と第３フィルター２０３は、高性能の軟水化フィルターであり、イオン交換の原理を利用して水中の石灰質をろ過して除去し、水質を効果的に軟化させ、かつ有機物、鉄錆、酸化物、発がん性毒素をろ過して除去する。
【００１７】
第４フィルター２０４は負イオン微量元素フィルターであり、水中に微量元素を添加して、水中のカルシウム、カリウム、マグネシウム、ナトリウム等の正イオンを吸収すると共に、負イオンを増加させてアルカリ性とし、かつ溶解力と浸透力を強化し、水中の有機物及び有害な化学物質を浄化し、水質の口当たりを改善することができる。
【００１８】
第５フィルター２０５はナノ親水触媒材料のＨ−負水素電位生成器を備える。Ｈ−負水素電位生成器は、Ｈ￣水素負イオンを生成することができ、このＨ￣水素負イオンを水に加えて負水素電位アルカリ水を生成する。また、酸化還元能力を備えており、水中の正電位を負電位に変え、水分子団が解離後分散するため、高い浸透性と溶解力を具備させることができる。
【００１９】
第６フィルター２０６は高酸素生成器より成る。高酸素生成器は、天然トルマリン複合元素でセラミックスを製造したものであり、超高酸素波動エネルギーを放出でき、左旋量子共振メカニズムと反応分解後、水溶性塩化カルシウムを生成してシュウ酸カルシウムを分解除去することができる。
【００２０】
第７フィルター２０７は高性能π化磁気エネルギー共振器（ｐｉｏｎｉｚａｔｉｏｎ  ｍａｇｎｅｔｉｃ  ｒｅｓｏｎａｔｏｒ）を備える。π化磁気エネルギー共振器は、振動磁化ろ過処理により、水分子団を原水の１２〜１４大分子団水から６〜８分子団水に微細化させ、磁気エネルギー共振時に再度転換活性化して水分子構造を配列しなおし、水質を微細化して酸素溶解量、溶解力、浸透力を高め、水質を改善することができる。
【００２１】
第８フィルター２０８は微細な麦飯石を含む麦飯石ミネラルフィルターであり、内部に多数のミネラルと微量元素を含有し、水が麦飯石を通過することにより、アルカリ性イオン水が生成される。
【００２２】
第９フィルター２０９は遠赤外線π化フィルターであり、水を振動させて、分子団を切断し、酸素を溶解させ、エネルギーの高い小分子団を形成させ、栄養分、高酸素、エネルギーを迅速に細胞内に導入させることができる。
【００２３】
第１０フィルター２１０はＫＤＦ活性炭フィルターであり、活性炭の微小顆粒を含んでいるため吸着面積が大きく、脱色、除臭、塩化物のろ過と除去、消毒水のろ過と除去、化学汚染物質および重金属のろ過と除去機能を備え、効果的に菌類と藻類を抑制することができる。
【００２４】
第１１フィルター２１１はナノ銀活性炭フィルターであり、水中の浮遊粒子、細胞嚢、ウイルスのろ過と除去ができ、塩素、農薬、総トリハロメタン、異臭味、鉛、亜鉛、有機物、溶解物など化学物質を効果的に吸着することができる。
【００２５】
第１２フィルター２１２は小分子微細化共振器を備える。小分子微細化共振器は、水分子に分解現象を生じさせ、転換活性化して水分子構造を配列しなおし、長鎖の水分子を配列しなおして短鎖の水分子に組み立てる。第１２フィルター２１２を通過させることにより、水の汚染物質をろ過して除去するとともに、溶解力、浸透力、磁気振動波動を備え、瞬間的に水質を活性化することができる。
【００２６】
第１フィルター２０１、第２フィルター２０２、第３フィルター２０３、第８フィルター２０８、第９フィルター２０９、第１０フィルター２１０、第１１フィルター２１１の使用期限は、５００ガロン（約２２００リットル）の水をろ過した後交換する必要がある。一方、第４フィルター２０４、第５フィルター２０５、第６フィルター２０６、第７フィルター２０７、第１２フィルター２１２は、少なくとも２０年使用することができる。  第１フィルター２０１、第２フィルター２０２、第３フィルター２０３、第８フィルター２０８、第９フィルター２０９、第１０フィルター２１０、第１１フィルター２１１の使用期限は、フロー制御機構５０により流量を検出して知ることができる。即ち、第１フィルター２０１、第２フィルター２０２、第３フィルター２０３、第８フィルター２０８、第９フィルター２０９、第１０フィルター２１０、第１１フィルター２１１の使用が５００ガロン（約２２００リットル）に達した後は、フロー制御機構５０が自動的にオフになり、水を第１フィルター２０１に進入させず、断水状態となり、これにより使用者にフィルター交換を知らせる。
このように、使用寿命を延長できるだけでなく、水資源の無駄を回避し、効果の損なわれたフィルター中で水が繰り返しろ過され、本来の効果が失われることがないようにすることができる。
【符号の説明】
【００２７】
１０      ハウジング
１０１    座体
１０２    カバー
１０３    第１パーティション
１０４    第２パーティション
１０５    クランプ
２０      ろ過機構
２０１    第１フィルター
２０２    第２フィルター
２０３    第３フィルター
２０４    第４フィルター
２０５    第５フィルター
２０６    第６フィルター
２０７    第７フィルター
２０８    第８フィルター
２０９    第９フィルター
２１０    第１０フィルター
２１１    第１１フィルター
２１２    第１２フィルター
３０      流入ポート
４０      流出ポート
５０      フロー制御機構
【図１】
0003205759.tif 000003
【図２】
0003205759.tif 000004